(57)【要約】【課題】寸法の異なる自動販売機のパネル展示部に対応可能な自動販売機用広告パネルを提供する。【解決手段】第１のパネル３０ａと、第１のパネル３０ａに対して幅方向にスライド自在に第１のパネル３０ａに連結された第２のパネル３０ｂとから広告パネル３０を構成したので、広告パネル３０の幅方向寸法を変更することができ、幅方向寸法の異なるパネル展示部４０に対して共通の広告パネル４０を利用することが可能となる。また、第２のパネル３０ｂの上端側及び下端側に、第１のパネル３０ａの上端側及び下端側がそれぞれ幅方向にスライド自在に係合する溝３０ｃを設けたので、簡単な構成によって第１のパネル３０ａに対して第２のパネル３０ｂを幅方向にスライド自在に連結することができ、製造コストの低減を図ることが可能となる。【選択図】図６
2008310492.tif 000002
【特許請求の範囲】
【請求項１】
商品の情報等が表示され、自動販売機に設けられたパネル展示部に展示される自動販売機用広告パネルであって、
前記広告パネルを、第１のパネルと、第１のパネルに対して幅方向にスライド自在に第１のパネルに連結された第２のパネルとから構成した
ことを特徴とする自動販売機用広告パネル。
【請求項２】
前記第１のパネル及び第２のパネルの一方の上端側及び下端側に、第１のパネル及び第２のパネルの他方の上端側及び下端側がそれぞれ幅方向にスライド自在に係合する係合部を設けた
ことを特徴とする請求項１記載の自動販売機用広告パネル。
【発明の詳細な説明】
【技術分野】
【０００１】
本発明は、商品の情報等が表示され、自動販売機に設けられたパネル展示部に展示される自動販売機用広告パネルに関するものである。
【背景技術】
【０００２】
従来、この種の自動販売機用広告パネルとしては、自動販売機本体の前面を開閉する外扉に設けられたパネル展示部に、商品の情報等が表示された広告パネルが展示されているものが知られている（例えば、特許文献１参照）。
【特許文献１】特開２００５−１３５３４１号公報
【発明の開示】
【発明が解決しようとする課題】
【０００３】
前記広告パネルは、外扉に設けられたパネル展示部の幅方向寸法に応じて形成された合成樹脂等の板状部材に商品の情報等を印刷したものである。パネル展示部の幅方向寸法は自動販売機の種類毎に異なるため、各パネル展示部に応じた幅方向寸法に形成された複数種類の広告パネルが必要となる。
【０００４】
また、例えば電子マネー機能を有するＩＣカードによって決済を行うための読み取り端末等の機器をパネル展示部に取り付ける場合があるが、その場合に、パネル展示部の広告パネルを展示するスペースが小さくなるため、読み取り端末等の機器をパネル展示部に取り付けるか否かによって異なる幅方向寸法の広告パネルが必要となる。
【０００５】
本発明の目的とするところは、幅方向寸法の異なる自動販売機のパネル展示部に対応可能な自動販売機用広告パネルを提供することにある。
【課題を解決するための手段】
【０００６】
本発明は前記目的を達成するために、商品の情報等が表示され、自動販売機に設けられたパネル展示部に展示される自動販売機用広告パネルであって、前記広告パネルを、第１のパネルと、第１のパネルに対して幅方向にスライド自在に第１のパネルに連結された第２のパネルとから構成している。
【０００７】
これにより、第１のパネルに対して第２のパネルが幅方向にスライドすることから、広告パネルの幅方向寸法が変更可能となる。
【発明の効果】
【０００８】
本発明によれば、広告パネルの幅方向寸法を変更することができるので、幅寸法の異なるパネル展示部に対して共通の広告パネルを利用することが可能となる。
【発明を実施するための最良の形態】
【０００９】
図１乃至図６は本発明の一実施形態を示すもので、図１は自動販売機の全体斜視図、図２は外扉を開放した状態を示す自動販売機の全体斜視図、図３はパネル展示部を示す外扉の要部側面断面図、図４は外扉の平面断面図、図５は読み取り端末を取り付けた状態を示す外扉の平面断面図、図６は広告パネルの全体斜視図である。
【００１０】
本発明の広告パネルが取り付けられる自動販売機は、前面に開口部を有する自動販売機本体１０と、幅方向一端側が自動販売機本体１０の前面側の幅方向一端側に回転自在に連結され、自動販売機本体１０の開口部を開閉する外扉２０とを備えている。
【００１１】
外扉２０の上部側には、自動販売機本体１０内に収納される販売商品の商品サンプルを展示するためのサンプル展示部２１が設けられ、サンプル展示部２１の前面に商品選択スイッチ２２が設けられている。また、外扉２０のサンプル展示部２１の下方には、硬貨投入口２３、紙幣投入口２４、表示パネル２５、返却レバー２６及び外扉２０を開閉するためのハンドル２７が幅方向一方側に設けられ、販売商品の情報等が表示された広告パネル３０を展示するためのパネル展示部４０が幅方向他方側に設けられている。更に、外扉２０の下部側には、硬貨返却口２８及び商品取出口２９が設けられている。
【００１２】
広告パネル３０は、幅方向に伸縮自在に設けられ、板状の第１のパネル３０ａと第１のパネル３０ａに対して幅方向にスライド自在に第１のパネル３０ａに連結された第２のパネル３０ｂとからなる。第２のパネル３０ｂの上下両側には、第１のパネル３０ａの上下両側が係合する係合部としての溝３０ｃが幅方向に延びるように設けられており、溝３０ｃに第１のパネル３０ａ上下両側をそれぞれ係合させることにより、第１のパネル３０ａの背面側を第２のパネル３０ｂが幅方向にスライドするようになっている。
【００１３】
即ち、広告パネル３０の幅寸法を最大にすると、第１のパネル３０ａ及び第２のパネル３０ｂは、端部同士が互いに前後に重なる状態で幅方向に並べられる。また、広告パネル３０の幅寸法を最小にすると、第１のパネル３０ａ及び第２のパネル３０ｂは、第１のパネル３０ａの背面側に第２のパネル３０ｂが位置するように前後に重ねられる。また、第１のパネル３０ａ及び第２のパネル３０ｂには、企業のマークや商品の情報等の広告が印刷されているが、第１のパネル３０ａに広告の主要部が印刷され、第１のパネル３０ａのみでも広告表示が成立するようになっている。
【００１４】
パネル展示部４０は、外扉２０のサンプル展示部２１の下方に設けられたパネル展示部４０用の開口部４０ａを背面側から閉鎖する合成樹脂等からなる透明板４１と、パネル展示部４０を外扉２０の背面側から開閉するためのパネル展示部用扉４２とを有し、透明板４１とパネル展示部用扉４２との間に広告パネル３０を配置することにより、広告パネル３０が展示されるようになっている。
【００１５】
透明板４１は、外扉２０のパネル展示部４０用の開口部４０ａよりも幅方向及び上下方向にやや大きく形成されており、外扉２０の背面側に取付部材４１ａによって取り付けられている。
【００１６】
パネル展示部用扉４２は、外扉２０に対して着脱自在に設けられた第１の扉４２ａと、外扉２０の背面側に回転自在に支持された第２の扉４２ｂとからなり、互いに幅方向に並べた状態でそれぞれパネル展示部４０の背面側を開閉するようになっている。
【００１７】
第１の扉４２ａは、下端側を開口部４０ａの下方の背面側に設けられた溝４０ｂに係合させ、上端側をツマミネジ４３によって開口部４０ａの上方の背面側に取り付けることにより、パネル展示部４０の背面側を閉鎖するようになっている。
【００１８】
第２の扉４２ｂは、幅方向一方が外扉２０に回転自在に支持されており、幅方向他方が第１の扉４２ａに係合することにより、パネル展示部４０の背面側を閉鎖するようになっている。また、第２の扉４２ｂは、後述する読み取り端末を収納可能なように箱状に形成されている。
【００１９】
外扉２０の硬貨投入口２３及び紙幣投入口２４の背面側にはそれぞれ硬貨識別装置２３ａ及び紙幣識別装置２４ａが設けられ、硬貨識別装置２３ａ及び紙幣識別装置２４ａの背面側には金銭の盗難を防止するための保護扉５０が外扉２０の背面側に回転自在に支持されている。第２の扉４２ｂは、保護扉５０を回転自在に支持する支軸５１に回転自在に支持されている。
【００２０】
また、この自動販売機は、電子マネー機能を有するＩＣカードによって決済を行うための読み取り端末６０をパネル展示部４０に取り付けることが可能となっている。
【００２１】
読み取り端末６０が取り付けられた場合のパネル展示部４０は、開口部４０ａに広告パネル３０及び読み取り端末６０を取り付けるための枠４４と、枠４４に設けられたパネル展示用の開口部４４ａを背面側から閉鎖する合成樹脂等からなる透明板４５と、前述の第１及び第２の扉４２ａ，４２ｂとを有している。
【００２２】
枠４４は、開口部４０ａを外扉２０の背面側から閉鎖可能な金属板にパネル展示用の開口部４４ａ及び読み取り端末６０を取り付けるための開口部４４ｂが設けられたものであり、外扉２０に図示しないネジによって着脱可能に取り付けられている。
【００２３】
透明板４５は、枠４４の開口部４４ａよりも幅方向及び上下方向にやや大きく形成されており、枠４４の背面側に取付部材４５ａによって取り付けられている。
【００２４】
以上のように構成された自動販売機において、通常はパネル展示部４０が広告パネル３０の表示のみに利用されるようになっている。この場合、広告パネル３０は、透明板４１と第１の扉４２ａ及び第２の扉４２ｂとの間に取り付けられ、主に第１の扉４２ａによって保持される。
【００２５】
また、この自動販売機にＩＣカードによる決済の機能を付加する場合には、第２の扉４２ｂを開放すると共に第１の扉４２ａを外扉２０から取り外して開口部４０ａから透明板４１を取り外し、透明板４５及び読み取り端末６０が取り付けられた枠４４を開口部４０ａに取り付け、第１の扉４２ａを外扉２０に取り付ける。このとき、読み取り端末６０は、第２の扉４２ｂの前面に位置しており、枠４４と第２の扉４２ｂの間に収納された状態となる。読み取り端末６０の修理及び点検等の作業は、第２の扉４２ｂのみを開放することにより行われる。また、広告パネル３０は、パネル展示部４０が広告パネル３０の表示のみに利用される場合よりも幅方向寸法を小さくした状態で透明板４５と第１の扉４２ａとの間に取り付けられる。
【００２６】
このように、本実施形態の自動販売機用広告パネルによれば、第１のパネル３０ａと、第１のパネル３０ａに対して幅方向にスライド自在に第１のパネル３０ａに連結された第２のパネル３０ｂとから広告パネル３０を構成したので、広告パネル３０の幅方向寸法を変更することができ、幅方向寸法の異なるパネル展示部４０に対して共通の広告パネル３０を利用することが可能となる。
【００２７】
また、第２のパネル３０ｂの上端側及び下端側に、第１のパネル３０ａの上端側及び下端側がそれぞれ幅方向にスライド自在に係合する溝３０ｃを設けたので、簡単な構成によって第１のパネル３０ａに対して第２のパネル３０ｂを幅方向にスライド自在に連結することができ、製造コストの低減を図ることが可能となる。
【００２８】
尚、前記実施形態では、第１のパネル３０ａと第１のパネル３０ａに対して幅方向にスライド自在に第１のパネル３０ａに連結された第２のパネル３０ｂの二部材から広告パネル３０を構成し、広告パネル３０を伸縮自在に設けたものを示したが、図７に示すように、第１のパネル３１ａと第１のパネル３１ａに対して幅方向にスライド自在に第１のパネル３１ａに連結された複数の第２のパネル３１ｂから広告パネル３１を構成し、広告パネル３１を伸縮自在に設けるようにしても良い。
【００２９】
また、前記実施形態では、広告パネル３０を展示するためのパネル展示部４０に広告パネル３０を展示するようにしたものを示したが、サンプル展示部２１に広告を入れる場合に、広告パネル３０をサンプル展示部２１内に展示するようにしても良い。この場合、サンプル展示部２１の幅方向寸法が異なる複数種類の自動販売機に対して広告パネル３０を適用することが可能となる。
【図面の簡単な説明】
【００３０】
【図１】本発明の一実施形態を示す自動販売機の全体斜視図
【図２】外扉を開放した状態を示す自動販売機の全体斜視図
【図３】パネル展示部を示す外扉の要部側面断面図
【図４】外扉の平面断面図
【図５】読み取り端末を取り付けた状態を示す外扉の平面断面図
【図６】広告パネルの全体斜視図
【図７】その他の広告パネルの全体斜視図
【符号の説明】
【００３１】
１０…自動販売機本体、２０…外扉、３０…広告パネル、３０ａ…第１のパネル、３０ｂ…第２のパネル、３０ｃ…溝、３１…広告パネル、３１ａ…第１のパネル、３１ｂ…第２のパネル、４０…パネル展示部。
【図１】
2008310492.tif 000003
【図２】
2008310492.tif 000004
【図３】
2008310492.tif 000005
【図４】
2008310492.tif 000006
【図５】
2008310492.tif 000007
【図６】
2008310492.tif 000008
【図７】
2008310492.tif 000009